(57)【要約】【課題】絶縁部の厚みを厚くすることなく、均一な厚さの絶縁部を有する電力用半導体装置を提供する。【解決手段】電力用デバイスが搭載されたダイパッドと、ダイパッドに対向して配置され、制御用デバイスが搭載されたリードと、を有したリードフレームが樹脂で封止され、電力用デバイスが搭載された主面とは反対側のダイパッドの裏面に接するように設けられた、粒状樹脂の圧縮板で構成される圧縮絶縁板を備えている。【選択図】図５
2018029149.tif 000002
【特許請求の範囲】
【請求項１】
電力用デバイスが搭載されたダイパッドと、
前記ダイパッドに対向して配置され、制御用デバイスが搭載されたリードと、を有したリードフレームを樹脂で封止した電力用半導体装置であって、
前記電力用デバイスが搭載された主面とは反対側の前記ダイパッドの裏面に接するように設けられた、粒状樹脂の圧縮板で構成される圧縮絶縁板を備えた電力用半導体装置。
【請求項２】
前記圧縮絶縁板は、
前記ダイパッドと接する主面を覆うように設けられた樹脂膜を有する、請求項１記載の電力用半導体装置。
【請求項３】
前記リードフレームは、
前記電力用デバイスが搭載された領域と制御用デバイスが搭載された領域とで、異なる材質の樹脂で封止される、請求項１記載の電力用半導体装置。
【請求項４】
前記圧縮絶縁板は、
前記リードフレームの封止樹脂に含まれるフィラーの最大粒径の１〜４倍に相当する厚さを有する、請求項１記載の電力用半導体装置。
【請求項５】
前記圧縮絶縁板は、
前記ダイパッドの前記裏面から遠ざかるにつれてフィラー濃度が増加し、樹脂濃度が減少するフィラー分布を有する、請求項１記載の電力用半導体装置。
【請求項６】
前記圧縮絶縁板は、金属板の上に搭載され、
前記圧縮絶縁板が搭載された主面とは反対側の全記金属板の裏面は、樹脂パッケージから露出する、請求項１記載の電力用半導体装置。
【請求項７】
電力用デバイスが搭載されたダイパッドと、
前記ダイパッドに対向して配置され、制御用デバイスが搭載されたリードと、を有したリードフレームを樹脂で封止した電力用半導体装置の製造方法であって、
（ａ）下金型の底面に粒状樹脂の圧縮板で構成される圧縮絶縁板を搭載し、前記電力用デバイスが搭載された主面とは反対側の前記ダイパッドの裏面が前記圧縮絶縁板に接するように前記リードフレームを前記下金型に搭載する工程と、
（ｂ）前記下金型上に上金型を被せ、前記下金型と前記上金型とで構成されるキャビティ内に、前記キャビティの対向する２つの側面のうち、前記電力用デバイス側となる一方の側面から溶融した状態の第１の封止樹脂を注入し、前記制御用デバイス側となる他方の側面から溶融した状態の第２の封止樹脂を注入する工程と、を備え、
前記工程（ｂ）は、
前記第２の封止樹脂として、前記第１の封止樹脂よりも粘度の小さい樹脂を準備する工程を含む、電力用半導体装置の製造方法。
【発明の詳細な説明】
【技術分野】
【０００１】
本発明は電力用半導体装置に関し、特に、リードフレームに搭載された電力用半導体装置に関する。
【背景技術】
【０００２】
電力用半導体装置は、家電機器、産業用機械等において、比較的大きな電力を制御、整流するために利用されている。使用時に発熱するため、電力半導体装置には放熱性が要求される。また数千Ｖ以上の高電圧が印加されることから電力用半導体装置と外部との間で絶縁が必要となる。
【０００３】
ここで、ＩＰＭ(Intelligent Power Module)は電力用デバイスと制御用デバイスとを備えたモジュールである。配線材料にリードフレームを用いる場合、電力用デバイスと制御用デバイスは物理的に切り離されたダイパッド上にそれぞれ搭載され、電力用デバイスは電力用金属細線でリードフレームと電気的に接続され、制御用デバイスは金属細線でリードフレームおよび電力用デバイスと電気的に接続される。
【０００４】
電力用デバイスの発熱に対する放熱構造としては様々な手法がある。全体を封止樹脂によって覆ったディスクリートＩＣパッケージのように、電力用半導体装置で最もシンプルな構造は、高放熱かつ絶縁性を有する封止樹脂を用いて、放熱部としての役割も果たす絶縁部を封止樹脂で薄く形成したフルモールド構造となる。
【０００５】
樹脂封止には、１種類の樹脂を用いたトランスファーモールド法が使用されることが多いが、この手法では厚みの薄い絶縁部を形成する際に、封止樹脂が均一に行き渡らず、均一な厚さの絶縁部を形成することが困難であった。
【０００６】
これに対し、特許文献１ではダイパッドの裏面にシート状の絶縁材を貼り付けて放熱板上に搭載した後、樹脂で封止した構成が開示されている。この構成は放熱部が放熱板で構成される構造には適用できるが、放熱部が絶縁部で構成されるフルモールド構造には適用できない。
【０００７】
また、特許文献２ではフルモールド構造の半導体装置において、放熱部としての役割を果たす厚みの薄い絶縁部をトランスファーモールド法で他の部分と同時に形成する構成が開示されている。一般に、フィラーを含む粘性のある弾性体を、後に絶縁部となる狭い間隙部分に充填する場合、フィラーの目詰まりを防ぐため、間隙厚さの１／２〜１／３程度の直径のフィラーは使用することができない。フルモールド構造の電力用半導体装置にとって、絶縁部には放熱性が必要であるが、絶縁部にフィラーを充填するためには、上述した理由から、フィラー直径の３倍より大きい厚さの絶縁部（間隙）としなければならない。特許文献２には、絶縁部の厚さについては言及がないが、絶縁部を厚くすると、モジュールのサイズが大きくなると言う問題があった。
【先行技術文献】
【特許文献】
【０００８】
【特許文献１】特開２００２−１６４４９２号公報
【特許文献２】特開平１−２６８１５９号公報
【発明の概要】
【発明が解決しようとする課題】
【０００９】
本発明は上記のような問題を解決するためになされたものであり、ダイパッドの裏面側の絶縁部の厚みを厚くすることなく、均一な厚さの絶縁部を有する電力用半導体装置を提供することを目的とする。
【課題を解決するための手段】
【００１０】
本発明に係る電力用半導体装置は、電力用デバイスが搭載されたダイパッドと、前記ダイパッドに対向して配置され、制御用デバイスが搭載されたリードと、を有したリードフレームを樹脂で封止した電力用半導体装置であって、前記電力用デバイスが搭載された主面とは反対側の前記ダイパッドの裏面に接するように設けられた、粒状樹脂の圧縮板で構成される圧縮絶縁板を備えている。
【発明の効果】
【００１１】
本発明に係る電力用半導体装置によれば、ダイパッドの裏面側には圧縮絶縁板が存在しているので、絶縁部が均一な厚さとなり、また、封止樹脂が流入しにくい隙間が存在しないので、ボイドおよびウェルドなどが発生することを抑制でき、電界集中が起こりにくい構造となって、高い絶縁耐圧を達成できる。
【図面の簡単な説明】
【００１２】
【図１】リードフレーム状態の電力用半導体装置を示す断面図である。
【図２】リードフレーム状態の電力用半導体装置を下金型内に載置した状態を示す断面図である。
【図３】圧縮絶縁板の構成を模式的に示す図である。
【図４】金型内に封止樹脂を注入する工程を示す断面図である。
【図５】本発明に係る実施の形態１の電力用半導体装置の構成を示す断面図である。
【図６】リードフレーム状態の電力用半導体装置を下金型内に載置した状態を示す断面図である。
【図７】金型内に封止樹脂を注入する工程を示す断面図である。
【図８】本発明に係る実施の形態２の電力用半導体装置の構成を示す断面図である。
【図９】リードフレーム状態の電力用半導体装置を下金型内に載置した状態を示す断面図である。
【図１０】金型内に封止樹脂を注入する工程を示す断面図である。
【図１１】本発明に係る実施の形態３の電力用半導体装置の構成を示す断面図である。
【図１２】厚みの薄い絶縁部を形成する際の問題点を説明する図である。
【図１３】本発明に係る実施の形態３の電力用半導体装置の部分断面図である。
【図１４】絶縁部の厚さに対する放熱特性を示す図である。
【図１５】本発明に係る実施の形態４の電力用半導体装置の部分断面図である。
【図１６】リードフレーム状態の電力用半導体装置を下金型内に載置した状態を示す断面図である。
【図１７】金型内に封止樹脂を注入する工程を示す断面図である。
【図１８】本発明に係る実施の形態５の電力用半導体装置の構成を示す断面図である。
【図１９】一般的なフルモールド構造の電力用半導体装置の構成を示す断面図である。
【図２０】電力用半導体装置を裏面側から見た外観図である。
【発明を実施するための形態】
【００１３】
＜はじめに＞
発明の実施の形態の説明に先立って、一般的なフルモールド構造の電力用半導体装置の構成について説明する。
【００１４】
図１９は、一般的なフルモールド構造の電力用半導体装置９０の構成を示す断面図である。図１９に示すように電力用半導体装置９０は、全体が封止樹脂によって封止され、対向する２つの側面のうち、一方の側面からパワーアウターリード１ｃが突出し、他方の側面から制御アウターリード１ｂが突出している。パワーアウターリード１ｃおよび制御アウターリード１ｂは、窪み部１１が設けられた電力用半導体装置９０の裏面側に向けて折り曲げられている。
【００１５】
パワーアウターリード１ｃは、パッケージ内においてパワーインナーリード１ｅに連続し、パワーインナーリード１ｅはダイパッド１ａに連続している。また、制御アウターリード１ｂはパッケージ内において制御インナーリード１ｄに連続している。これら一連のパワーアウターリード１ｃ、パワーインナーリード１ｅ、ダイパッド１ａおよび一連の制御アウターリード１ｂ、制御インナーリード１ｄはリードフレームを構成している。
【００１６】
ダイパッド１ａ上にはＲＣ−ＩＧＢＴ（Reverse Conducting-Insulated Gate Bipolar Transistor）５が搭載され、制御インナーリード１ｄ上にはＩＣチップ６が搭載されている。ダイパッド１ａとＲＣ−ＩＧＢＴ５は鉛（Ｐｂ）フリーはんだＳＤにより接合され、制御インナーリード１ｄとＩＣチップ６とは導電性接着剤ＡＤにより接合されている。
【００１７】
ＲＣ−ＩＧＢＴ５のはんだ接合面とは反対側の表面には、図示されないソース電極およびゲート電極が設けられ、ソース電極は直径０．３ｍｍのアルミワイヤ７を介してパワーインナーリード１ｅに電気的に接続されている。また、ゲート電極は、アルミワイヤ７よりも直径が小さい細線ワイヤ８を介してＩＣチップ６と電気的に接続されている。なお、ＩＣチップ６と制御インナーリード１ｄとは細線ワイヤ８を介して電気的に接続されている。なお、細線ワイヤ８には例えば金、または金を主成分とする合金、Ａｇ、Ｃｕなどを用いることができ、アルミワイヤ７はアルミニウム（Ａｌ）以外に、Ａｌを主成分とする合金、Ａｇ、Ｃｕなど他の金属、合金を用いることができる。
【００１８】
ダイパッド１ａは、パワーアウターリード１ｃおよびパワーインナーリード１ｅに比べて、ＲＣ−ＩＧＢＴ５の搭載面とは反対のダイパッド裏面側に向けて低くなるように段差が設けられている。これは、ダイパッド１ａの裏面側に存在する絶縁部９の厚みを薄くして、放熱部としても機能させるためである。なお、絶縁部９を含めて電力用半導体装置９０を樹脂封止する封止樹脂には、樹脂と高熱伝導性フィラーの混合物で構成される高熱伝導樹脂を使用する。高熱伝導樹脂は、フィラー量が多いほど熱伝導率は増加する。
【００１９】
高熱伝導樹脂の樹脂は、熱可塑性樹脂でも熱硬化性樹脂でも良く、接着性を得ることができる樹脂でれば良い。また、フィラーは無機材料の粒子であるＳｉＯ２、Ａｌ２Ｏ３、ＢＮなど電気絶縁性と高熱伝導性が両立する材料であれば良い。
【００２０】
図２０は電力用半導体装置９０を裏面側から見た外観図である。図２０におけるＡ−Ａ線での断面図が、図１９に相当する。
【００２１】
＜実施の形態１＞
以下、図１〜図５を用いて本発明に係る実施の形態１について説明する。図１はＲＣ−ＩＧＢＴ５およびＩＣチップ６を搭載し、アルミワイヤ７および細線ワイヤ８をワイヤボンディングしたリードフレーム状態の電力用半導体装置を示す断面図である。なお、以下においては図１９および図２０を用いて説明した電力用半導体装置９０と同一の構成については同一の符号を付し、重複する説明は省略する。
【００２２】
図２はリードフレーム状態の電力用半導体装置を下金型ＬＭ内に載置した状態を示しているが、下金型ＬＭの底面上には、粒状の封止樹脂を圧縮して薄板状にした圧縮絶縁板２０（圧縮板）が載置されている。圧縮絶縁板２０のダイパッド１ａ側の主面は熱硬化性樹脂の樹脂膜ＲＣＴで覆われており、ダイパッド１ａの裏面が樹脂膜ＲＣＴに接するように、リードフレーム状態の電力用半導体装置が下金型ＬＭ内に載置される。
【００２３】
圧縮絶縁板２０は下金型ＬＭの底面全体を覆う大きさを有しており、その厚さは２００〜５００μｍ程度である。また、樹脂膜ＲＣＴの厚さは２０〜５０μｍであり、平均フィラー粒径と同じ程度で良い。
【００２４】
圧縮絶縁板２０は、粒径が２２０μｍ以下で、例えばエポキシ等の熱硬化性樹脂で構成される粒状樹脂（フィラーはシリカまたは窒化ボロン）を、１５０℃以上の温度に保ち１ＭＰａ以上の圧力で圧縮することで形成される。
【００２５】
図３は、図２における“Ａ”部の詳細図であり、圧縮絶縁板２０の構成を模式的に示しており、粒状樹脂ＰＲが圧縮されて潰され、板状に成型されている。
【００２６】
図２に示すように、リードフレーム状態の電力用半導体装置を下金型ＬＭ内に載置し、上金型ＵＭと下金型ＬＭとを合わせて金型を閉じ、トランスファーモールド法より金型内に封止樹脂を流入する。この封止樹脂には、圧縮絶縁板２０の形成に用いた樹脂と同じものを用いることができる。
【００２７】
図４は、閉じた金型内に、注入ゲートＧＡを介して溶融した状態の封止樹脂ＲＳを注入する工程を示している。図４に示されるように、上金型ＵＭと下金型ＬＭとで構成されるキャビティ内全体に封止樹脂ＲＳを充填し、キャビティ内で封止樹脂を硬化させてパッケージを形成し、金型を開いてパッケージを取り出す。その後、ポストキュアなど追加硬化過程を経てパッケージの外形を加工し、また、パワーアウターリード１ｃおよび制御アウターリード１ｂをパッケージの裏面側に向けるように曲げ加工することで、図５に示す電力用半導体装置１００が完成する。
【００２８】
一般的にトランスファーモールド法では、パッケージの側面から内部に向かって封止樹脂を注入する。このときダイパッドの裏面と金型の底面との間の隙間（後に絶縁部となる）が狭いので、トランスファーモールドでは流動抵抗およびフィラーの目詰まりによって封止樹脂が流入しにくい。その結果、絶縁部への封止樹脂の充填が遅れたり、最終充填部位となることでボイドおよびウェルドなどが発生し、絶縁耐圧が低下する可能性があった。しかし、上述した実施の形態１の電力用半導体装置１００では、予め、下金型ＬＭの底面上に圧縮絶縁板２０を搭載し、圧縮絶縁板２０にダイパッド１ａの裏面が接するようにリードフレーム状態の電力用半導体装置を載置するので、ダイパッド１ａの裏面には均一な厚さの絶縁部が設けられることとなる。また、封止樹脂が流入しにくい隙間が存在せず、ボイドおよびウェルドなどが発生することを抑制できる。
【００２９】
また、圧縮絶縁板２０のダイパッド１ａ側の主面は樹脂膜ＲＣＴで覆われているので、圧縮絶縁板２０とダイパッド１ａの裏面との密着性が向上し、ボイドの発生をさらに抑制して、電界集中が起こりにくい構造となって、高い絶縁耐圧を達成できる。
【００３０】
＜実施の形態２＞
次に、図６〜図８を用いて本発明に係る実施の形態２について説明する。なお、以下においては図１９および図２０を用いて説明した電力用半導体装置９０と同一の構成については同一の符号を付し、重複する説明は省略する。
【００３１】
図６は、図１に示したリードフレーム状態の電力用半導体装置を下金型ＬＭ内に載置した状態を示しており、下金型ＬＭの底面上には、粒状の封止樹脂を圧縮して薄板状にした圧縮絶縁板２０が載置されている。なお、図示は省略しているが上金型ＵＭには円筒状の可動ブロックが組み込まれており、上金型ＵＭと下金型ＬＭとを合わせて構成されるキャビティ内に可動ブロックを挿入することができる。なお、可動ブロックの抜き差しにはサーボモータ等を用いるが、可動ブロックの技術は公知であるので説明は省略する。
【００３２】
図７は、閉じた金型内に、注入ゲートＧＡ１およびＧＡ２を介して、それぞれ溶融した状態の２種類の封止樹脂ＲＳ１（第１の封止樹脂）および封止樹脂ＲＳ２（第２の封止樹脂）を注入する工程を示している。すなわち、上金型ＵＭと下金型ＬＭとで構成されるキャビティには、対向する２つの側面のうち、一方の側面から注入ゲートＧＡ１を介して溶融した状態の封止樹脂ＲＳ１が注入され、他方の側面から注入ゲートＧＡ２を介して溶融した状態の封止樹脂ＲＳ２が注入される。この封止樹脂ＲＳ１およびＲＳ２の一方には、圧縮絶縁板２０の形成に用いた樹脂と同じものを用いることができる。
【００３３】
ここで、ＲＣ−ＩＧＢＴ５側のキャビティ側面に設けた注入ゲートＧＡ１から注入される封止樹脂ＲＳ１は、５０Ｐａ・ｓｅｃ以下の粘度を有し、ＩＣチップ６側のキャビティ側面に設けた注入ゲートＧＡ２から注入される封止樹脂ＲＳ２は、２０Ｐａ・ｓｅｃ以下の粘度を有している。なお、封止樹脂ＲＳ１およびＲＳ２を同じ樹脂とした場合は、フィラー量によって粘度を調整し、ＩＣチップ６側から注入される樹脂の粘度を、ＲＣ−ＩＧＢＴ５側から注入される樹脂の粘度よりも小さくする。
【００３４】
これにより、ＩＣチップ６に接続される細線ワイヤ８のワイヤの変形を抑制することができる。なお、封止樹脂ＲＳ２のフィラー量を、封止樹脂ＲＳ１のフィラー量よりも少なくすることで、封止樹脂ＲＳ２の接着力は封止樹脂ＲＳ１の接着力よりも強くなる。
【００３５】
また、封止樹脂ＲＳ１およびＲＳ２の注入は同時に行い、注入圧力などの注入条件も同じとする。なお、ＩＣチップ６側から注入する封止樹脂ＲＳ２の注入速度を封止樹脂ＲＳ１の注入速度よりも遅くすることで、細線ワイヤ８のワイヤの変形をさらに抑制することができる。
【００３６】
図７に示されるように、上金型ＵＭと下金型ＬＭとで構成されるキャビティ内全体に封止樹脂ＲＳ１およびＲＳ２を充填し、キャビティ内で封止樹脂ＲＳ１およびＲＳ２を硬化させてパッケージを形成し、金型を開いてパッケージを取り出す。その後、ポストキュアなど追加硬化過程を経てパッケージの外形を加工し、また、パワーアウターリード１ｃおよび制御アウターリード１ｂをパッケージの裏面側に向けるように曲げ加工することで、図８に示す電力用半導体装置２００が完成する。
【００３７】
なお、電力用半導体装置２００の製造工程においては、封止樹脂ＲＳ１およびＲＳ２の注入開始直後に可動ブロック１０をキャビティ内に可動ブロック１０を挿入し、樹脂注入完了後に可動ブロック１０を抜き出す。可動ブロック１０を抜き出す際に、樹脂注入の際に樹脂と共にキャビティ内に流入した空気を脱気することができ、パッケージ内に空気が残ることを防止できる。また、キャビティ内に可動ブロック１０を挿入しておくことで、狭間部に樹脂が流れ難くなり、樹脂がせき止められる仕組みにより、封止樹脂ＲＳ１と封止樹脂ＲＳ２の停止位置を均一にすることができる。なお、可動ブロック１０の挿入位置は細線ワイヤ８の配置領域とアルミワイヤ７の配置領域との間に設ければ良い。
【００３８】
＜実施の形態３＞
次に、図９〜図１４を用いて本発明に係る実施の形態３について説明する。なお、以下においては図１９および図２０を用いて説明した電力用半導体装置９０と同一の構成については同一の符号を付し、重複する説明は省略する。
【００３９】
図９は、図１に示したリードフレーム状態の電力用半導体装置を下金型ＬＭ内に載置した状態を示しており、下金型ＬＭの底面上には、粒状の封止樹脂を圧縮して無機物粒子（フィラー）の最大粒径に相当する厚さ、すなわち５５μｍ程度の厚さの薄板状の圧縮絶縁板２０Ａが載置されている。
【００４０】
圧縮絶縁板２０Ａのダイパッド１ａ側の主面は熱硬化性樹脂の樹脂膜ＲＣＴで覆われており、ダイパッド１ａの裏面が樹脂膜ＲＣＴに接するように、リードフレーム状態の電力用半導体装置が下金型ＬＭ内に載置される。
【００４１】
なお、図示は省略しているが上金型ＵＭには円筒状の可動ブロックが組み込まれており、上金型ＵＭと下金型ＬＭとを合わせて構成されるキャビティ内に可動ブロックを挿入することができる。なお、可動ブロックの抜き差しにはサーボモータ等を用いるが、可動ブロックの技術は公知であるので説明は省略する。
【００４２】
図１０は、閉じた金型内に、注入ゲートＧＡ１およびＧＡ２を介して、それぞれ溶融した状態の２種類の封止樹脂ＲＳ１およびＲＳ２を注入する工程を示している。すなわち、上金型ＵＭと下金型ＬＭとで構成されるキャビティには、対向する２つの側面のうち、一方の側面から注入ゲートＧＡ１を介して溶融した状態の封止樹脂ＲＳ１が注入され、他方の側面から注入ゲートＧＡ２を介して溶融した状態の封止樹脂ＲＳ２が注入される。
【００４３】
ここで、ＲＣ−ＩＧＢＴ５側のキャビティ側面に設けた注入ゲートＧＡ１から注入される封止樹脂ＲＳ１は、５０Ｐａ・ｓｅｃ以下の粘度を有し、ＩＣチップ６側のキャビティ側面に設けた注入ゲートＧＡ２から注入される封止樹脂ＲＳ２は、２０Ｐａ・ｓｅｃ以下の粘度を有している。なお、封止樹脂ＲＳ１およびＲＳ２を同じ樹脂とした場合は、フィラー量によって粘度を調整し、ＩＣチップ６側から注入される樹脂の粘度を、ＲＣ−ＩＧＢＴ５側から注入される樹脂の粘度よりも小さくする。これは、ＩＣチップ６に接続される細線ワイヤ８のワイヤの変形を抑制するためである。なお、封止樹脂ＲＳ２のフィラー量を、封止樹脂ＲＳ１のフィラー量よりも少なくすることで、封止樹脂ＲＳ２の接着力は封止樹脂ＲＳ１の接着力よりも強くなる。
【００４４】
また、封止樹脂ＲＳ１およびＲＳ２の注入は同時に行い、注入圧力などの注入条件も同じとする。なお、ＩＣチップ６側から注入する封止樹脂ＲＳ２の注入速度を封止樹脂ＲＳ１の注入速度よりも遅くすることで、細線ワイヤ８のワイヤの変形をさらに抑制することができる。
【００４５】
図１０に示されるように、上金型ＵＭと下金型ＬＭとで構成されるキャビティ内全体に封止樹脂ＲＳ１およびＲＳ２を充填し、キャビティ内で封止樹脂ＲＳ１およびＲＳ２を硬化させてパッケージを形成し、金型を開いてパッケージを取り出す。その後、ポストキュアなど追加硬化過程を経てパッケージの外形を加工し、また、パワーアウターリード１ｃおよび制御アウターリード１ｂをパッケージの裏面側に向けるように曲げ加工することで、図１１に示す電力用半導体装置３００が完成する。
【００４６】
なお、電力用半導体装置３００の製造工程においては、実施の形態２の電力用半導体装置２００の製造工程と同様に、キャビティ内に可動ブロック１０の挿入を行い、樹脂注入完了後に可動ブロック１０を抜き出すことで、キャビティ内の空気を脱気する。可動ブロック１０を用いることによる効果は実施の形態２と同じである。
【００４７】
図１２は、図１９に示した電力用半導体装置９０における厚みの薄い絶縁部９を形成する際の問題点を説明する図である。図１２において、ダイパッド１ａの裏面と下金型ＬＭの底面との間の隙間の間隔ｄが、フィラーの最大粒径の１〜４倍に相当する５５〜２２０μｍである場合、当該隙間に封止樹脂を充填しようとすると、流入口でフィラーＦＬが目詰まりして充填できない。そのため、隙間の間隔はフィラーＦＬの最大粒径の４倍よりも大きくする必要がある。
【００４８】
しかし、上述した実施の形態３の電力用半導体装置３００では、予め、下金型ＬＭの底面上にフィラーの最大粒径に相当する厚さの圧縮絶縁板２０Ａを搭載し、圧縮絶縁板２０Ａにダイパッド１ａの裏面が接するようにリードフレーム状態の電力用半導体装置を載置するので、図１３に示されるように、ダイパッド１ａの裏面と下金型ＬＭの底面との間には厚さｄ１の圧縮絶縁板２０Ａが存在することとなる。ここで、厚さｄ１はフィラーの最大粒径に相当する厚さ、すなわち５５μｍであるので、フィラーの最大粒径の１〜４倍に相当する５５〜２２０μｍの間隔ｄよりも小さくなる（ｄ１＜ｄ）。すなわち電力用半導体装置３００では、絶縁部の厚さを電力用半導体装置９０の４分の１程度まで薄くできる。なお、本実施の形態の圧縮絶縁板２０Ａは、最大粒径が５５μｍのフィラーを有する封止樹脂をフィラーの最大粒径程度まで圧縮することで厚さ５５μｍを達成している。
【００４９】
ここで、図１４は絶縁部の厚さに対する放熱特性を示す図である。図１４においては横軸に絶縁部の厚さ（ｍｍ）を示し、縦軸に電力用デバイスの温度（Ｔｊ）と絶縁部裏面の温度（Ｔｆ）との温度差ΔＴｊ-ｆ（℃）を示している。
【００５０】
そして、電力用デバイスの温度をＴｊとし、絶縁部裏面全面に熱伝導率１．５Ｗ／ｍ・Ｋのグリスを２０μｍの厚さで塗布した場合のグリス表面の温度をＴｆとし、発熱密度が１Ｗ／ｍｍ２以上のＲＣ−ＩＧＢＴ５を用いた場合で、封止樹脂の熱伝導率が３Ｗ／ｍ・Ｋを想定してシミュレーションした結果を特性Ｔ１として図１４に示している。
【００５１】
図１４より、温度差ΔＴｊ-ｆを２５℃以下とするには絶縁部の厚さを２２０μｍ（０．２２ｍｍ）以下にする必要があることが判る。
【００５２】
実施の形態３の電力用半導体装置３００では、圧縮絶縁板２０Ａの厚さをフィラーの最大粒径に相当する厚さ５５μｍにすることで、図１４より温度差ΔＴｊ-ｆを１０℃程度まで下げることができ、放熱特性をより改善することができる。また、絶縁部をさらに薄くすることで、電力用半導体装置をより小型化することができる。
【００５３】
＜実施の形態４＞
次に、図１５を用いて本発明に係る実施の形態４について説明する。なお、以下においては図１９および図２０を用いて説明した電力用半導体装置９０と同一の構成については同一の符号を付し、重複する説明は省略する。
【００５４】
図１５は、実施の形態４の電力用半導体装置４００の特徴的な構成を示す部分拡大図である。図１５に示されるように電力用半導体装置４００においては、下金型ＬＭの底面上に、粒状の封止樹脂を圧縮して薄板状にした圧縮絶縁板２０Ｂが載置されている。圧縮絶縁板２０Ｂのダイパッド１ａ側の主面は熱硬化性樹脂の樹脂膜ＲＣＴで覆われており、ダイパッド１ａの裏面が樹脂膜ＲＣＴに接している。なお、実施の形態２において図１０を用いて説明したように、上金型ＵＭと下金型ＬＭとで構成されるキャビティ内全体に封止樹脂ＲＳ１およびＲＳ２を充填し、キャビティ内で封止樹脂ＲＳ１およびＲＳ２を硬化させてパッケージを形成し、金型を開いてパッケージを取り出す工程等は実施の形態２と同じである。また、封止樹脂ＲＳ１およびＲＳ２の注入開始直後に可動ブロック１０をキャビティ内に可動ブロック１０を挿入し、樹脂注入完了後に可動ブロック１０を抜き出す工程も同じである。
【００５５】
圧縮絶縁板２０Ｂの厚さは、無機物粒子（フィラー）の最大粒径の４〜５倍に相当する厚さ、すなわち２２０〜２７５μｍ程度である。そして、圧縮絶縁板２０Ｂは、ダイパッド１ａの裏面から遠ざかるにつれてフィラー濃度が増加し、樹脂濃度が増加するフィラー分布を有する構成を採っている。
【００５６】
このようなフィラー分布とするために、圧縮絶縁板２０Ｂは多層の樹脂層で構成されている。すなわちダイパッド１ａに接する樹脂層は、フィラー濃度が最も低く、７０〜８０ｗｔ％程度であり、樹脂濃度は２０〜３０ｗｔ％程度の樹脂層とし、ダイパッド１ａから離れるにつれてフィラー濃度が高く、樹脂濃度が低くなるように複数の樹脂層が積層された構成となっている。なお、最下層の樹脂層のフィラー濃度は８０〜９０ｗｔ％程度であり、樹脂濃度は１０〜２０ｗｔ％程度である。なお、何れの樹脂層も粒状の封止樹脂を圧縮して形成され、薄板状となっている。
【００５７】
ダイパッド１ａに接する樹脂層は、樹脂濃度が最も高いのでダイパッド１ａとの高い接着性を有し、また、パッケージの裏面に近づくにつれてフィラー濃度が高くなるので、放熱性が向上することとなる。
【００５８】
＜実施の形態５＞
次に、図１６〜図１８を用いて本発明に係る実施の形態５について説明する。なお、以下においては図１９および図２０を用いて説明した電力用半導体装置９０と同一の構成については同一の符号を付し、重複する説明は省略する。
【００５９】
図１６は、図１に示したリードフレーム状態の電力用半導体装置を下金型ＬＭ内に載置した状態を示しており、下金型ＬＭの底面上には、エポキシ等の熱硬化性樹脂で構成される圧縮絶縁板３２を有する絶縁シート３が載置されている。絶縁シート３は金属板３１の上面に、粒状の封止樹脂を圧縮して薄板状にした圧縮絶縁板３２を有する構成となっており、圧縮絶縁板３２がダイパッド１ａ側となるように下金型ＬＭ内に搭載される。
【００６０】
圧縮絶縁板３２の厚さは、フィラーの最大粒径の４〜５倍に相当する厚さ、すなわち２２０〜２７５μｍ程度である。金属板３１は銅（Ｃｕ）またはアルミニウム（Ａｌ）で構成され、その厚さは３５〜３３００μｍ程度である。この厚さは一例であり、電解銅箔の最小厚さである３５μｍ程度から電力用半導体装置の定格に合わせて設定すれば良い。金属板３１の裏面はパッケージの裏面に露出するので、金属板３１を介してパッケージの外部に放熱され、放熱性をさらに高めることができる。
【００６１】
図１７は、閉じた金型内に、注入ゲートＧＡ１およびＧＡ２を介して、それぞれ溶融した状態の２種類の封止樹脂ＲＳ１およびＲＳ２を注入する工程を示している。すなわち、上金型ＵＭと下金型ＬＭとで構成されるキャビティには、対向する２つの側面のうち、一方の側面から注入ゲートＧＡ１を介して溶融した状態の封止樹脂ＲＳ１が注入され、他方の側面から注入ゲートＧＡ２を介して溶融した状態の封止樹脂ＲＳ２が注入される。
【００６２】
ここで、ＲＣ−ＩＧＢＴ５側のキャビティ側面に設けた注入ゲートＧＡ１から注入される封止樹脂ＲＳ１は、５０Ｐａ・ｓｅｃ以下の粘度を有し、ＩＣチップ６側のキャビティ側面に設けた注入ゲートＧＡ２から注入される封止樹脂ＲＳ２は、２０Ｐａ・ｓｅｃ以下の粘度を有している。なお、封止樹脂ＲＳ１およびＲＳ２を同じ樹脂とした場合は、フィラー量によって粘度を調整し、ＩＣチップ６側から注入される樹脂の粘度を、ＲＣ−ＩＧＢＴ５側から注入される樹脂の粘度よりも小さくする。これは、ＩＣチップ６に接続される細線ワイヤ８のワイヤの変形を抑制するためである。なお、封止樹脂ＲＳ２のフィラー量を、封止樹脂ＲＳ１のフィラー量よりも少なくすることで、封止樹脂ＲＳ２の接着力は封止樹脂ＲＳ１の接着力よりも強くなる。
【００６３】
また、封止樹脂ＲＳ１およびＲＳ２の注入は同時に行い、注入圧力などの注入条件も同じとする。なお、ＩＣチップ６側から注入する封止樹脂ＲＳ２の注入速度を封止樹脂ＲＳ１の注入速度よりも遅くすることで、細線ワイヤ８のワイヤの変形をさらに抑制することができる。
【００６４】
図１７に示されるように、上金型ＵＭと下金型ＬＭとで構成されるキャビティ内全体に封止樹脂ＲＳ１およびＲＳ２を充填し、キャビティ内で封止樹脂ＲＳ１およびＲＳ２を硬化させてパッケージを形成し、金型を開いてパッケージを取り出す。その後、ポストキュアなど追加硬化過程を経てパッケージの外形を加工し、また、パワーアウターリード１ｃおよび制御アウターリード１ｂをパッケージの裏面側に向けるように曲げ加工することで、図１８に示す電力用半導体装置５００が完成する。
【００６５】
なお、電力用半導体装置５００の製造工程においては、封止樹脂ＲＳ１およびＲＳ２の注入開始直後に可動ブロック１０をキャビティ内に可動ブロック１０を挿入し、樹脂注入完了後に可動ブロック１０を抜き出す。可動ブロック１０を設けることによる効果は、実施の形態２において説明した効果と同じである。
【００６６】
なお、以上説明した実施の形態１〜５においては、電力用デバイスとしてＲＣ−ＩＧＢＴを用いる例を示したが、これに限定されるものではなく、ＩＧＢＴとダイオードの組み合わせでも良く、ＭＯＳトランジスタとダイオードの組み合わせ等でも良い。また、ＲＣ−ＩＧＢＴ５とダイパッド１ａとの接合には、はんだ以外に導電性接着剤など導電性を有した接合材を用いても良い。
【００６７】
なお、本発明は、その発明の範囲内において、各実施の形態を自由に組み合わせたり、各実施の形態を適宜、変形、省略することが可能である。
【符号の説明】
【００６８】
１ａ  ダイパッド、１ｂ  制御アウターリード、１ｃ  パワーアウターリード、１ｄ    制御インナーリード、１ｅ  パワーインナーリード、３  絶縁シート、５  ＲＣ−ＩＧＢＴ、６  ＩＣチップ、２０，２０Ａ，２０Ｂ  圧縮絶縁板。
【図１】
2018029149.tif 000003
【図２】
2018029149.tif 000004
【図３】
2018029149.tif 000005
【図４】
2018029149.tif 000006
【図５】
2018029149.tif 000007
【図６】
2018029149.tif 000008
【図７】
2018029149.tif 000009
【図８】
2018029149.tif 000010
【図９】
2018029149.tif 000011
【図１０】
2018029149.tif 000012
【図１１】
2018029149.tif 000013
【図１２】
2018029149.tif 000014
【図１３】
2018029149.tif 000015
【図１４】
2018029149.tif 000016
【図１５】
2018029149.tif 000017
【図１６】
2018029149.tif 000018
【図１７】
2018029149.tif 000019
【図１８】
2018029149.tif 000020
【図１９】
2018029149.tif 000021
【図２０】
2018029149.tif 000022